(57)【要約】  【課題】  パウチ容器への装着を簡易に行うことでコスト低減を図ることができると共に、内容物が減少した場合でもパウチ容器の自立安定性を確保しつつ外観を保持することができるパウチ容器包装体及びブランクシートを提供する。  【解決手段】  前面板１と、前面板１の両側端に連接された一対の背面板２、２と、前面板１の上端に連接された上面板３と、上面板３に連接された延長板４とを備え、延長板４の表面に一対の背面板２、２の裏面が固着されるものであって、上面板３は、パウチ容器首体が挿入可能な挿入孔３１と、挿入孔３１の両側に延長して設けられた一対の係止孔３２、３２とを有し、一対の係止孔３２、３２の縁部３２ａ、３２ａ・・が、パウチ容器首体の中間部に設けられたフランジ片の下面に当接することによって係止される。【選択図】図１
0003189307.tif 000002
【実用新案登録請求の範囲】
【請求項１】
パウチ容器本体とパウチ容器首体とを備えたパウチ容器を、前記パウチ容器首体と前記パウチ容器本体の底部とを露出させた状態で包装するパウチ容器包装体において、
前面板と、該前面板の両側端に連接された一対の背面板と、前記前面板の上端に連接された上面板と、該上面板に連接された延長板とを備え、該延長板の表面に前記一対の背面板の裏面が固着されるものであって、
前記上面板は、前記パウチ容器首体が挿入可能な挿入孔と、該挿入孔の両側に延長して設けられた一対の係止孔とを有し、該係止孔の縁部が、前記パウチ容器首体の中間部に設けられたフランジ片の下面に当接することによって係止され、前記パウチ容器首体が、前記挿入孔から抜け落ちるのを防止していることを特徴とするパウチ容器包装体。
【請求項２】
上面板は、一対の係止孔の外方に、山折り可能な一対の折り曲げ部が形成されており、該折り曲げ部を山折りすることによって、前記上面板が２等分されるように折り曲げられていることを特徴とする請求項１に記載のパウチ容器包装体。
【請求項３】
パウチ容器包装体を、パウチ容器に装着した状態において、上面板の一対の係止孔の外方に形成されている山折り可能な一対の折り曲げ部の内側に、パウチ容器本体の上縁部が当接することを特徴とする請求項２に記載のパウチ容器包装体。
【請求項４】
上面板は、前面板との連接部分と、延長板との連接部分の両方に、山折り可能な折り曲げ部が形成されていることを特徴とする請求項１〜３のいずれか１項に記載のパウチ容器包装体。
【請求項５】
上面板の、前面板との連接部分と、延長板との連接部分の両方に形成されている山折り可能な折り曲げ部は、正面視又は背面視した場合に、凹状の曲線となるように形成されていることを特徴とする請求項４に記載のパウチ容器包装体。
【請求項６】
前面板は、一対の背面板との連接部分に、山折りされた一対の折り曲げ部が形成されていることを特徴とする請求項１〜５のいずれか１項に記載のパウチ容器包装体。
【請求項７】
パウチ容器包装体を、パウチ容器に装着した状態において、前面板の一対の背面板との連接部分に形成されている山折りされた一対の折り曲げ部の内側に、パウチ容器本体の一対の側縁部が当接することを特徴とする請求項６に記載のパウチ容器包装体。
【請求項８】
上面板の側縁と、前面板及び背面板の上縁とによって、パウチ容器本体の一対の上方角部を突出させることができる一対の切欠き孔が形成されていることを特徴とする請求項１〜７のいずれか１項に記載のパウチ容器包装体。
【請求項９】
パウチ容器包装体をパウチ容器に装着した状態において、前面板及び背面板の下縁は、パウチ容器本体の下端部と略一致又は、パウチ容器本体の下端部よりも下方に位置するように形成されていることを特徴とする請求項１〜８のいずれか１項に記載のパウチ容器包装体。
【請求項１０】
パウチ容器包装体は、厚紙又はボール紙により形成されていることを特徴とする請求項１〜９のいずれか１項に記載のパウチ容器包装体。
【請求項１１】
請求項１〜１０のいずれか１項に記載のパウチ容器包装体の構造を形成するためのブランクシート。
【考案の詳細な説明】
【技術分野】
【０００１】
本考案は、折り畳んで減容化が可能なパウチ容器を包装するパウチ容器包装体と、該パウチ容器包装体用のブランクシートに関するものである。
【背景技術】
【０００２】
従来から、容器の首体に装着される首掛けラベルとして、ラベルシートに、容器の首体に係止可能な開口部を有し、該ラベルシートの裏面に備える粘着層を介して容器の表面に仮止めする考案が知られている（特許文献１）。この首掛けラベルは、商品の搬送、陳列中に首掛けラベルが紛失するのを防ぐことができるという効果を備えるものであった。また、容器の所定の位置に仮止めすることにより、商品の整然とした外観が保たれるという効果も備えるものであった。
【先行技術文献】
【特許文献】
【０００３】
【特許文献１】特開２０００−７５７９０号公報
【考案の概要】
【考案が解決しようとする課題】
【０００４】
しかしながら、上記特許文献１に記載の首掛けラベルは、ラベルシートの裏面の粘着層によって容器に仮止めをしてラベルを固定すると、粘着層又は粘着剤をラベルシートに塗布する等の手間がかかると共に、仮止めする工程が必要となっていた。また、仮止めすべき位置がずれるとラベルがよれて不良品が発生するという課題を有していた。
【０００５】
さらに、シャンプーやリンス、ハンドソープなどの液状物を収納する詰め替え用の容器や、ゼリーなどのようなゲル状の飲食物を収納する容器として使用される軟質フィルムからなる袋状の折畳可能なパウチ容器に、上記特許文献１に記載の首掛けラベルを使用した場合には、容器本体が軟質フィルムで構成されていることから、内容物の減少に伴って容器本体が扁平な形状に変形し、自立安定性が低下すると共に、ラベルシート面の外観が低下するという課題を有していた。
【０００６】
本考案は、上記従来の考案が有する課題を解決するためになされたものであり、ラベルをパウチ容器表面に粘着する工程を必要とせず、パウチ容器への装着を簡易に行うことでコスト低減を図ることができると共に、内容物が減少した場合でもパウチ容器の自立安定性を確保しつつ外観を保持することができるパウチ容器包装体及びブランクシートを提供することを目的とする。
【課題を解決するための手段】
【０００７】
請求項１の考案では、パウチ容器本体とパウチ容器首体とを備えたパウチ容器を、前記パウチ容器首体と前記パウチ容器本体の底部とを露出させた状態で包装するパウチ容器包装体において、前面板と、該前面板の両側端に連接された一対の背面板と、前記前面板の上端に連接された上面板と、該上面板に連接された延長板とを備え、該延長板の表面に前記一対の背面板の裏面が固着されるものであって、前記上面板は、前記パウチ容器首体が挿入可能な挿入孔と、該挿入孔の両側に延長して設けられた一対の係止孔とを有し、該係止孔の縁部が、前記パウチ容器首体の中間部に設けられたフランジ片の下面に当接することによって係止され、前記パウチ容器首体が、前記挿入孔から抜け落ちるのを防止していることを特徴としている。
【０００８】
したがって、パウチ容器包装体をパウチ容器首体側から被せた後、係止孔の縁部をパウチ容器首体の中間部に設けられたフランジ片の下面に当接させるだけで装着が完了するので、製造コストの低減を図ることができる。また、前面板と背面板とにパウチ容器商品に関する商標、宣伝、品質、使用方法、注意書き等の各種情報を印刷することができるので商品購入者に視認され易く、パウチ容器に直接貼り付けられた従来のラベルと比較して、きれいな外観を保つことができる。さらに、仮にパウチ容器包装体をパウチ容器に装着した後に印刷ミスに気付いた場合でもパウチ容器包装体のみを取り換えればよく、該取り換え作業は極めて容易であることから、トータルでの製造コストの低減を図ることができる。
【０００９】
また、請求項２の考案では、請求項１の考案において、上面板は、一対の係止孔の外方に、山折り可能な一対の折り曲げ部が形成されており、該折り曲げ部を山折りすることによって、前記上面板が２等分されるように折り曲げられていることを特徴としている。したがって、パウチ容器の首体を挿入孔に挿入した後、一対の係止孔の外方に形成されている折り曲げ部を山折りに折り曲げることによって、係止孔の縁部を、パウチ容器の首体の中間部に設けられたフランジ片の下面に容易に当接させることができる。
【００１０】
また、請求項３の考案では、請求項２の考案において、パウチ容器包装体を、パウチ容器に装着した状態において、上面板の一対の係止孔の外方に形成されている山折り可能な一対の折り曲げ部の内側に、パウチ容器本体の上縁部が当接することを特徴としている。したがって、パウチ容器包装体のパウチ容器に対する位置決めを確実に行うことができる。
【００１１】
また、請求項４の考案では、請求項１〜３のいずれかの考案において、上面板は、前面板との連接部分と、延長板との連接部分の両方に、山折り可能な折り曲げ部が形成されていることを特徴としている。したがって、折り曲げ部を山折りすることによって、挿入孔が確実に開いた状態となるので、該挿入孔にパウチ容器の首体を容易に挿入することができる。
【００１２】
また、請求項５の考案では、請求項４の考案において、上面板の、前面板との連接部分と、延長板との連接部分の両方に形成されている山折り可能な折り曲げ部は、正面視又は背面視した場合に、凹状の曲線となるように形成されていることを特徴としている。したがって、折り曲げ部を山折りした状態で上面視した場合に、上面板を凹状の曲面とすることができ、挿入孔が最大限に開いた状態とすることができるので、該挿入孔にパウチ容器の首体を容易に挿入することができる。
【００１３】
また、請求項６の考案では、請求項１〜５のいずれかの考案において、前面板は、一対の背面板との連接部分に、山折りされた一対の折り曲げ部が形成されていることを特徴としている。したがって、山折りされた一対の折り曲げ部に指を当て、内側に押す力を加えることによって、上面板に形成された挿入孔を開いた状態とすることができ、該挿入孔にパウチ容器の首体を容易に挿入することができる。
【００１４】
また、請求項７の考案では、請求項６の考案において、パウチ容器包装体を、パウチ容器に装着した状態において、前面板の一対の背面板との連接部分に形成されている山折りされた一対の折り曲げ部の内側に、パウチ容器本体の一対の側縁部が当接することを特徴としている。したがって、パウチ容器包装体のパウチ容器に対する位置決めを確実に行うことができる。
【００１５】
また、請求項８の考案では、請求項１〜７のいずれかの考案において、上面板の側縁と、前面板及び背面板の上縁とによって、パウチ容器本体の一対の上方角部を突出させることができる一対の切欠き孔が形成されていることを特徴としている。したがって、一対の切欠き孔が、上面板が山折りに折り曲げられた時の逃げの機能を果たすと共に、パウチ容器包装体の外観を良好なものとすることができる。
【００１６】
また、請求項９の考案では、請求項１〜８のいずれかの考案において、パウチ容器包装体をパウチ容器に装着した状態において、前面板及び背面板の下縁は、パウチ容器本体の下端部と略一致又は、パウチ容器本体の下端部よりも下方に位置するように形成されていることを特徴としている。したがって、前面板と背面板とにパウチ容器商品に関する商標、宣伝、品質、使用方法、注意書き等の各種情報を印刷するスペースを十分に確保することができると共に、パウチ容器の内容物の減少に伴ってパウチ容器本体が扁平な形状に変形しても、パウチ容器包装体によって、自立安定性を確保することができる。
【００１７】
また、請求項１０の考案では、請求項１〜９のいずれかの考案において、パウチ容器包装体は、厚紙又はボール紙により形成されていることを特徴としている。したがって、印刷及び加工が容易であることから、製造コストを低減させることができる。また、パウチ容器に装着した状態では前面板及び背面板は凸状の曲面となるが、厚紙又はボール紙により形成されていることから容易に曲面を形成することができる。
【００１８】
また、請求項１１のブランクシートの考案は、請求項１〜１０のいずれかのパウチ容器包装体の構造を形成するためのブランクシートであることを特徴としている。したがって、ブランクシートの状態であれば嵩張らず、容易に輸送することができる。
【考案の効果】
【００１９】
請求項１の考案では、トータルでの製造コストの低減を図ることができると共に、きれいな外観を保つことができる。また、請求項２の考案では、係止孔の縁部を、パウチ容器の首体の中間部に設けられたフランジ片の下面に容易に当接させることができる。また、請求項３の考案では、パウチ容器包装体のパウチ容器に対する位置決めを確実に行うことができる。また、請求項４〜請求項６の考案では、挿入孔にパウチ容器の首体を容易に挿入することができる。
【００２０】
また、請求項７の考案では、パウチ容器包装体のパウチ容器に対する位置決めを確実に行うことができる。また、請求項８の考案では、パウチ容器包装体の外観を良好なものとすることができる。また、請求項９の考案では、前面板と背面板とにパウチ容器商品に関する商標、宣伝、品質、使用方法、注意書き等の各種情報を印刷するスペースを十分に確保することができると共に、パウチ容器の内容物の減少に伴ってパウチ容器本体が扁平な形状に変形しても、パウチ容器包装体によって、自立安定性を確保することができる。
【００２１】
また、請求項１０の考案では、印刷及び加工が容易であることから、製造コストを低減させることができる。また、パウチ容器に装着した状態では前面板及び背面板は凸状の曲面となるが、厚紙又はボール紙により形成されていることから容易に曲面を形成することができる。また、請求項１１の考案では、ブランクシートの状態であれば嵩張らず、容易に輸送することができる。
【図面の簡単な説明】
【００２２】
【図１】本考案に係るパウチ容器包装体用ブランクシートを示す正面図である。
【図２】本考案に係るパウチ容器包装体を示す正面図である。
【図３】本考案に係るパウチ容器包装体を示す背面図である。
【図４】パウチ容器を示す斜視図である。
【図５】本考案に係るパウチ容器包装体を示す斜視図である。
【図６】本考案に係るパウチ容器包装体をパウチ容器に装着した状態を示す斜視図である。
【図７】本考案に係るパウチ容器包装体をパウチ容器に装着した状態を示す斜視図である。
【図８】本考案に係るパウチ容器包装体をパウチ容器に装着した状態を示す一部拡大斜視図である。
【考案を実施するための形態】
【００２３】
次に、本考案の実施形態を図面に基づいて説明する。図１は、本考案に係るパウチ容器包装体用ブランクシートを示す正面図である。図１に示すようにブランクシート１０は、前面板１と、前面板１の両側端に連接された一対の背面板２、２と、前面板１の上端に連接された上面板３と、上面板３に連接された延長板４とを備えている。
【００２４】
また、上面板３は、パウチ容器の首体が挿入可能な挿入孔３１と、挿入孔３１の両側に延長して設けられた一対の係止孔３２、３２とを有している。尚、ブランクシート１０は、厚紙又はボール紙により形成することが好ましい。ブランクシート１０を厚紙又はボール紙によって形成することによって、印刷及び加工が容易であることから、製造コストを低減させることができる。また、後述するように、パウチ容器に装着した状態では前面板１及び背面板２、２は凸状の曲面となるが、厚紙又はボール紙により形成すれば、容易に曲面を形成することができる。
【００２５】
また、前面板１は、一対の背面板２、２との連接部分に、山折り可能な一対の折り曲げ部５、５が形成されている。さらに、上面板３は、前面板１との連接部分に、パウチ容器包装体に組み立てられて正面視した場合に、凹状の曲線となる山折り可能な折り曲げ部６が形成されている。また、上面板３は、延長板４との連接部分にも、パウチ容器包装体に組み立てられて背面視した場合に、凹状の曲線となる山折り可能な折り曲げ部７が形成されている。
【００２６】
尚、後述するように、パウチ容器包装体を組み立てる際には、延長板４の表面に一対の背面板２、２の裏面が、のり、接着剤等によって固着されるものであり、一対の背面板２、２は、その上縁に、前述した凹状の曲線となる山折り可能な折り曲げ部７に対応する曲線状の曲線部２ａ、２ａを有しており、パウチ容器包装体に組み立てられた時の見栄えがよくなる構成としている。また、一対の背面板２、２は、折り曲げ部５、５に対向する側縁に、側縁部２ｂ、２ｂを有している。
【００２７】
また、上面板３は、一対の係止孔３２、３２の外方に、山折り可能な一対の折り曲げ部８、８が形成されており、後述するように、この折り曲げ部８、８を山折りに折り曲げることによって、上面板３が２等分するように折り曲げられる。また、挿入孔３１と、一対の係止孔３２、３２の各々も２等分するように折り曲げられる構成としている。また、後述するように、一対の係止孔３２、３２の縁部３２ａ、３２ａ・・がパウチ容器首体の中間部に設けられたフランジ片の下面に当接することによって、係止される構成としている。
【００２８】
図２は、本考案に係るパウチ容器包装体を示す正面図であり、図３は、本考案に係るパウチ容器包装体を示す背面図である。図２又は図３に示すように、パウチ容器包装体２０は、前面板１の両側端に連接された一対の背面板２、２の連接部分に形成されている山折り可能な一対の直線状の折り曲げ部５、５にて山折りに折り曲げている。そして、延長板４の表面に一対の背面板２、２の裏面が、のり、接着剤等によって固着されている。
【００２９】
尚、固着の方法は、のりや接着剤に限定されるものではない。例えば、延長板４又は背面板２に差し込み片を形成し、この差し込み片に対向する背面板２又は延長板４の所定の位置に切り込みを形成して、切り込みに差し込み片を挿入することによって背面板２と延長板４とを固着する方法であってもよいものである。
【００３０】
また、図２に示すように、上面板３は、前面板１との連接部分に、凹状の曲線となる山折り可能な折り曲げ部６が形成されており、パウチ容器装着時には、この折り曲げ部６で山折りされる。また、図３に示すように、上面板３は、延長板４との連接部分に、凹状の曲線となる山折り可能な折り曲げ部７が形成されており、パウチ容器装着時には、この折り曲げ部７で山折りされる。
【００３１】
また、図２又は図３に示すように、上面板３は、パウチ容器の首体が挿入可能な挿入孔３１と、挿入孔３１の両側に延長して設けられた一対の係止孔３２、３２と、この一対の係止孔３２、３２の外方に位置する山折り可能な一対の折り曲げ部８、８とを有しており、折り曲げ部８、８が山折りに折り曲げられている。
【００３２】
ここで、折り曲げ部８、８が山折りに折り曲げられることによって、上面板３は、２等分するように折り曲げられる。また、挿入孔３１と、一対の係止孔３２、３２の各々も２等分するように折り曲げられる。さらに、上面板３の側縁３３と、前面板１の上縁１ａ及び背面板２の上縁２ｃとによって、後述するパウチ容器本体の一対の上方角部を突出させることができる一対の切欠き孔９、９が形成されている。
【００３３】
また、図３に示すように、一対の背面板２、２の側縁部２ｂ、２ｂは、突き合わされるようにして延長板４に固着されている。また、一対の背面板２、２の上縁の曲線部２ａ、２ａは、凹状の曲線にて形成されている山折り可能な折り曲げ部７に対応するように曲線にて形成され、見栄えをよくしている。また、後述するように、一対の係止孔３２、３２の縁部３２ａ、３２ａ・・がパウチ容器首体の中間部に設けられたフランジ片の下面に当接することによって、係止される構成としている。
【００３４】
図４は、本考案に係るパウチ容器包装体が装着されるパウチ容器を示す斜視図である。パウチ容器４０は、一般に、シャンプーやリンス、ハンドソープなどの液状物を収納する詰め替え用の容器や、ゼリーなどのようなゲル状の飲食物を収納する容器として広く実用化されている。
【００３５】
そして、パウチ容器４０は、軟質フィルムからなる袋状の折り畳み可能なパウチ容器本体４１と、このパウチ容器本体４１の上部の開口と連通するパウチ容器首体４２とから構成されている。パウチ容器本体４１は、内容物の増減に伴って開閉可能な一対の下端部４１ａ、４１ａと、一対の上方角部４１ｂ、４１ｂと、一対の側縁部４１ｃ、４１ｃと、一対の上縁部４１ｄ、４１ｄを有している。
【００３６】
また、パウチ容器首体４２は、パウチ容器本体４１の上部の開口と接続する接続部４２ａと、この接続部４２ａの上方に位置し、フランジ片４３を備えたフランジ部４２ｂと、このフランジ部４２ｂの上方に位置し、外周に雄ネジを備えたネジ部４２ｃと、この雄ネジに螺合する雌ネジが内側に形成されているキャップ部４２ｄとを有している。したがって、フランジ片４３は、パウチ容器首体４２の中間部に位置している。
【００３７】
このパウチ容器４０は、内容物が充填されている状態では、パウチ容器本体４１の下端部４１ａ、４１ａが開いていることから自立可能な状態となっているが、パウチ容器本体４１が軟質フィルムで構成されていることから、内容物の減少に伴ってパウチ容器本体４１が扁平な形状に変形し、自立安定性が低下すると共に、外観も低下するものとなっている。
【００３８】
図５は、本考案に係るパウチ容器包装体を示す斜視図である。パウチ容器包装体２０は、図５に示すように、折り曲げ部５、５に指を当てて内側に押すと、前面板１と、背面板２、２の表面は大きく湾曲することとなる。そして、上面板３は、折り曲げ部８の折り曲げ角度が大きくなるように開くこととなり、挿入孔３１及び係止孔３２、３２は、上面視した場合に拡大する方向に変化する。この状態で、図４に示したパウチ容器４０のパウチ容器首体４２を挿入孔３１に挿入すればよく、パウチ容器首体４２の挿入孔３１への挿入作業は極めて容易に行うことができる。また、上面板３の両側縁の外方に切欠き孔９、９が形成されていることによって、折り曲げ部５、５に当てている指が内側に押す力の強弱に対応して折り曲げ部６、７及び８の折り曲げ角度の大小の調節がなされるのを容易にしている。
【００３９】
図６及び図７は、本考案に係るパウチ容器包装体をパウチ容器に装着した状態を示す斜視図である。パウチ容器包装体２０の挿入孔３１にパウチ容器首体４２を挿入した後、折り曲げ部５、５に当てている指のパウチ容器４０側に押している力を緩めると、前面板１と背面板２、２の表面の湾曲は小さくなる。そして、上面板３は、折り曲げ部６及び７の折り曲げ角度が大きくなり、折り曲げ部８の折り曲げ角度が小さくなるように、閉じる方向に変化することとなり、一対の係止孔３２、３２の縁部３２ａ、３２ａ・・がフランジ片４３の下面に当接することによって、係止される。したがって、パウチ容器首体４２が、挿入孔３１から抜け落ちるのを防止することとなる。
【００４０】
また、パウチ容器本体の一対の上方角部４１ｂ、４１ｂは、一対の切欠き孔９、９から突出させている。この一対の切欠き孔９、９は、上面板３が折り曲げ部８、８で山折りに折り曲げられた時の逃げの機能を果たすと共に、パウチ容器包装体２０の外観を良好なものとしている。また、一対の折り曲げ部８、８の内側に、パウチ容器本体４１の一対の上縁部４１ｄ、４１ｄ（図４参照）が当接するように構成されている。さらに、一対の折り曲げ部５、５の内側に、パウチ容器本体４１の一対の側縁部４１ｃ、４１ｃ（図４参照）が当接するように構成されている。したがって、パウチ容器包装体２０をパウチ容器４０に装着した状態では、パウチ容器包装体２０が前後及び左右にずれることなく位置決めされた状態で装着されているので、見栄えのよい外観を保つことができる。
【００４１】
図８は、本考案に係るパウチ容器包装体をパウチ容器に装着した状態を示す一部拡大斜視図である。図８に示すように、パウチ容器包装体２０をパウチ容器４０に装着した状態において、前面板１及び背面板２、２の下縁は、パウチ容器本体の下端部４１ａと略一致するように形成されている。尚、前面板１及び背面板２、２の下縁を、パウチ容器本体の下端部４１ａよりも下方に位置するように形成してもよく、これも本考案に含まれるものである。
【００４２】
したがって、前面板１と背面板２、２とにパウチ容器商品に関する商標、宣伝、品質、使用方法、注意書き等の各種情報を印刷するスペースを十分に確保することができると共に、パウチ容器４０の内容物の減少に伴ってパウチ容器本体が扁平な形状に変形しても、パウチ容器包装体２０によって、自立安定性を確保することができる。
【産業上の利用可能性】
【００４３】
本考案のパウチ容器包装体及びブランクシートは、折り畳んで減容化が可能なパウチ容器を包装するパウチ容器包装体と、このパウチ容器包装体用のブランクシートとして使用される。
【符号の説明】
【００４４】
１  前面板
２  背面板
３  上面板
４  延長板
５、６、７、８  折り曲げ部
９  切欠き孔
１０  ブランクシート
２０  パウチ容器包装体
３１  挿入孔
３２  係止孔
３２ａ  縁部
４０  パウチ容器
４１  パウチ容器本体
４２  パウチ容器首体
４３  フランジ片
【図１】
0003189307.tif 000003
【図２】
0003189307.tif 000004
【図３】
0003189307.tif 000005
【図４】
0003189307.tif 000006
【図５】
0003189307.tif 000007
【図６】
0003189307.tif 000008
【図７】
0003189307.tif 000009
【図８】
0003189307.tif 000010